(57)【要約】  靴（４０）の内底に挿入して使用される中敷き（１）は、中敷き挿入空間（３０）に挿入される柔軟性を有するインナーソール板（２）を備え、インナーソール板（２）の表面形状が、中敷き挿入空間の三次元立体形状のうちの着用者の足裏側の曲面（３１）を、長さ方向と幅方向の曲面に沿う長さを直線に延ばして展開した平坦面であり、前記インナーソール板（２）の裏面形状が、前記足裏側の曲面を展開した前記平坦面上の点から裏面（４）までの垂直方向長さ（Ｄ）を、当該平坦面上の点に対応する中敷き挿入空間（３０）の足裏側の面（３１）上の点から裏面までの法線方向長さ（Ｈ）となるようにした凹凸面であるに構成されている。表面（３）が平坦面であるため、切削処理を容易にすることができ、使用時には着用者の自重によって裏面（４）の凹凸が靴（４０）の内底壁（４１）に沿うように撓んで変形し、足裏面（５０）の凹凸との隙間を埋めて足を支持する。
2010134187.tif 000002
【特許請求の範囲】
【請求項１】
靴の内底と着用者の足裏との間に生じる中敷き挿入空間に挿入される柔軟性を有するインナーソール板を備え、
前記インナーソール板の表面形状が、前記中敷き挿入空間を形成する三次元立体形状のうちの着用者の足裏側の曲面を、長さ方向と幅方向の曲面に沿う長さを直線に延ばして展開した平坦面であり、前記インナーソール板の裏面形状が、前記足裏側の曲面を展開した前記平坦面上の点から裏面までの垂直方向長さを、当該平坦面上の点に対応する中敷き挿入空間の足裏側の面上の点から裏面までの法線方向長さとなるようにした凹凸面である中敷き。
【請求項２】
前記裏面の凹凸面に、前記靴の内底面の内側の周縁に沿って設けられたスリットを備える、請求項１に記載の中敷き。
【請求項３】
前記表面の平坦面に、カバーシートが貼着されている請求項１又は２に記載の中敷き。
【請求項４】
前記カバーシートは、前記インナーソール板の表面側を湾曲させるように表面の平坦面に貼着されている、請求項３に記載の中敷き。
【請求項５】
着用者の足裏部分の三次元足形データと靴の内面形状に基づいて導かれる前記靴の内壁と前記足裏面の間に生じる中敷き挿入空間の三次元形状データを作成し、
作成された前記中敷き挿入空間の三次元形状データに基づき、前記中敷き挿入空間を形成する三次元形状のうちの着用者の足裏側の曲面を、長さ方向と幅方向の曲面に沿う長さを直線に延ばして展開する外形情報と、前記足裏側の曲面を展開した平坦面上の点から裏面までの垂直方向長さを、その平坦面の点に対応する足裏側の曲面上の点から前記中敷き挿入空間の裏面までの法線方向長さにした厚み情報とを備える切削加工データを作成し、
前記作成された切削加工データに基づき、柔軟性を有するインナーソール原板の片面を切削して、表面が平坦面で裏面が凹凸面のインナーソール板を形成して、このインナーソール板を用いた中敷きを作成する中敷きの作成方法。
【請求項６】
前記切削加工データは、
前記敷き挿入空間の足裏側の曲面に沿って長手方向に伸びる第１基準線と、前記第１基準線上の点から前記第１基準線に交差する方向に伸びる複数の第２基準線を設け、
前記第１基準線と第２基準線を基準平面上で前記直線に伸ばし、それぞれの前記直線の端を結ぶ外縁形状を外形情報とし、前記直線上の点から裏面までの垂直方向長さを、前記第１及び第２基準線上の点から前記中敷き挿入空間の裏面までの法線方向長さにして厚み情報とすることで作成される、請求項５に記載の中敷きの作成方法。
【請求項７】
前記第１基準線は、中敷き挿入空間のかかととつま先の中央部分を結ぶ方向に沿って設けられる、請求項６に記載の中敷きの作成方法。
【請求項８】
さらに、前記インナーソール板の裏面に内底面の形状に沿って伸びるスリットを作成する、請求項５に記載の中敷きの作成方法。
【請求項９】
さらに、前記インナーソール板の少なくとも一部分が湾曲形状となるように湾曲加工を行なう、請求項５に記載の中敷きの作成方法。
【請求項１０】
前記湾曲加工は、前記インナーソール板をプレスするプレス加工である、請求項７の中敷きの作成方法。
【請求項１１】
前記湾曲加工は、前記インナーソール板の平坦側を収縮させるように、前記インナーソール板の平坦面にカバーシートを貼着する、請求項７の中敷きの作成方法。
【発明の詳細な説明】
【技術分野】
【０００１】
本発明は、靴内に挿入し、着用者の足と靴の間に形成される間隙を埋める靴の中敷き及びその作成方法に関するものである。
【背景技術】
【０００２】
従来、靴の履き心地や歩行安定性をよくし、姿勢や足の歪みの矯正、足腰の筋肉の引き締めなどを目的として、靴内に、中敷きを挿入することが広く行われている。また、近年、この種の中敷きとして、個人の足の形状に合わせた凹凸を設けたオーダーメイドのものも需要が増えつつある。このような個人の足に合わせた中敷きを作成する方法としては、従来、金型式、パーツ式、切削式などの方法が知られている。【０００３】
金型式の作成方法は、目的とする形状の中敷きを作成するための金型を製作し、金型内に発泡材料などを射出して成形する方法である。この方法は、同じ形状を有する中敷きを大量に作成でき、量産品向きであるが、オーダーメイドの中敷きに用いる場合には、金型を製作するためのコストが高く、製作にも時間がかかるという問題がある。【０００４】
パーツ式の作成方法は、平板上のベースに予め用意されているパーツを個人の足裏の形状に合わせて貼り付けて、中敷きを作成する方法である。この方法は、簡単に個人用の中敷きが作成可能であるという点で優れているが、作成できる形状に限界があり、個人の足裏の形状を忠実に中敷きに反映することができない。また、中敷きの形状が作成作業者の主観や技量に大きく影響されるといった問題もある。【０００５】
次に、切削式の作成方法は、中敷き材料を、足裏の凹凸形状に合わせて削りだして中敷きを作成する方法であり、現在のオーダーメイドの中敷き作成方法としては主流のものとなっている。この切削式の作成方法は、個人の足裏形状に応じて中敷きの三次元形状を決定し、当該形状に合わせて原料ブロックを切削して所望の形状に整え、中敷きを作成するというものであり、多様な個人の足裏形状に対応可能であるという利点がある。【０００６】
特許文献１に開示されているように、従来の切削式による個人用の中敷き作成方法では、測定した個人の足裏形状に基づき、まず、専用の加工機を用いて原料ブロックを自動切削することにより、足裏に接する側の面の凹凸を形成する。そして、この足裏に接する側の面の凹凸加工が終了した後に、その裏面、すなわち、靴の内面側に接する面も、厚みの調整及び中敷きの曲げ形状などを調整するために、削っている。
【先行技術文献】
【特許文献】
【０００７】
【特許文献１】特許第２５３５５８８号公報
【発明の概要】
【発明が解決しようとする課題】
【０００８】
しかし、上記方法では、原料ブロックの表面だけではなく、裏面の削り出しを必要とするため、作成に手間がかかるという問題がある。すなわち、中敷きの裏面を加工する工程では、表面側が切削により凹凸が形成されているため、凹凸があるブロックの面を加工機にしっかりと固定するのが容易ではなく、また、ブロックの材料は、非常に軟質であり加工時に変形して逃げてしまうため、加工機を用いて薄く削り出すことが困難であった。このため、従来は、熟練した作業者が、手作業で裏面をバフ研磨などにより加工しており、中敷きの作成が小ロットに限られ、また、作業者による形状差が生じ易く、中敷きの品質が一定しないという問題があった。【０００９】
さらに、中敷き材料として柔軟なものを使用すると、両面の削り出しを効率的に行うことができないので、素材が限定され、衝撃吸収性のよい柔軟素材を使用することができず、加工性の点から、中敷きの品質を犠牲にせざるを得ないという問題があった。また、原料ブロックの両面を削るために、削り量が多く、材料費が高くなるという問題もあった。【００１０】
従って、本発明の目的は、上記問題を解決することにあって、容易に作成でき、かつ一定の品質を維持することができる中敷きの構造と、その作成方法を提供することにある。
【課題を解決するための手段】
【００１１】
本発明は、上記目的を達成するため、以下のように構成している。本発明にかかる中敷きは、靴の内底と着用者の足裏との間に生じる中敷き挿入空間に挿入される柔軟性を有するインナーソール板を備え、
前記インナーソール板の表面形状が、前記中敷き挿入空間を形成する三次元立体形状のうちの着用者の足裏側の曲面を、長さ方向と幅方向の曲面に沿う長さを直線に延ばして展開した形状の平坦面であり、前記インナーソール板の裏面形状が、前記足裏側の曲面を展開した前記平坦面上の点から裏面までの垂直方向長さを、当該平坦面上の点に対応する中敷き挿入空間の足裏側の面上の点から裏面までの法線方向長さとなるようにした凹凸面にしている。【００１２】
また、本発明にかかる中敷きの作成方法は、着用者の足裏部分の三次元足形データと靴の内面形状に基づいて導かれる前記靴の内壁と前記足裏面の間に生じる中敷き挿入空間の三次元形状データを作成し、
作成された前記中敷き挿入空間の三次元形状データに基づき、前記中敷き挿入空間を形成する三次元形状のうちの着用者の足裏側の曲面を、長さ方向と幅方向の曲面に沿う長さを直線に延ばして展開する外形情報と、前記足裏側の曲面を展開した平坦面上の点から裏面までの垂直方向長さを、その平坦面の点に対応する足裏側の曲面上の点から前記中敷き挿入空間の裏面までの法線方向長さにした厚み情報とを備える切削加工データを作成し、
前記作成された切削加工データに基づき、柔軟性を有するインナーソール原板の片面を切削して、表面が平坦面で裏面が凹凸面のインナーソール板を形成して、このインナーソール板を用いた中敷きを作成するものである。
【発明の効果】
【００１３】
本発明の構成を採用することにより、靴内に挿入して使用した際には、着用者の自重が加わると、裏面に凹凸を有する中敷きが靴の内底面及び内側面に沿って湾曲して、表面側に凹凸が形成される。この凹凸により着用者の足と靴の間に生じる空隙を埋めることができ、足をしっかりと支持することができる。【００１４】
また、インナーソール板の裏面に形成される凹凸は、中敷きの表面側を基準として中敷き挿入空間の凹凸を平面に展開し、平面上の各点での厚み寸法として中敷き挿入空間の対応点での法線厚み寸法としている。したがって、足裏の各部位において、足裏面と靴の内壁との間に生じる空間の肉厚を再現することができる。【００１５】
なお、本明細書中において足裏面とは、裸足の状態で平面上に立ったとき当該平面と接触する部分だけではなく、隣接する土踏まず、かかと、指先などの接触部分周辺を含む概念を意味する。【００１６】
本発明によれば、靴の内壁と足裏面の間に生じる隙間を埋めて足を支持するインナーソール板の表面が平坦面で構成されており、前記隙間を埋める中敷きの凹凸は、すべてインナーソール板の裏面に形成されている。よって、中敷きを構成するインナーソール板を加工する際に、表面に凹凸パターンを形成する作業が不要であり、裏面のみの切削で作成することができる。したがって、中敷きを作成する手間を大幅に軽減することができ、加工時間の短縮及び削り量を少なくして材料コストを低減させることができる。【００１７】
また、両面を加工する従来の中敷き素材よりも柔軟性を有する材料を使用することができるので、衝撃吸収性に富む品質の良い中敷きの製造が可能となる。さらに、手作業によって裏面を仕上げる必要がないので、作業者の熟練度による品質の差異が生じにくく、品質が安定する。【００１８】
また、インナーソール板の表面を平坦面とし裏面側に凹凸を付すことにより、当該凹凸の中敷きの長手方向断面の形状は下に凸となる。この形状の中敷きを靴に挿入すると、中敷きを靴の内側面が押圧して裏面に設けられた凹凸を伸縮するような方向に力が働き、中敷き表面が圧縮されずシワが生じにくくなる。したがって、靴と足と間に形成される隙間をより現実の形状に近い状態で支持することができる。
【図面の簡単な説明】
【００１９】
【図１Ａ】本発明の１実施形態にかかる中敷きの構成を示す外観斜視図である。
【図１Ｂ】図１Ａの中敷きの中敷きの長手方向各位置での断面形状を示す図である。
【図１Ｃ】図１Ａの中敷きの底面図である。
【図２】図１Ａの中敷きのII-II線における断面図である。
【図３】図１Ａの中敷きを靴内に挿入した使用状態を示す概略図である。
【図４】図１Ａの中敷きの作成手順を示すフローチャートである。
【図５】人間の足裏の一般的な形状を示す図である。
【図６】中敷き挿入空間の形状を説明する概略図である。
【図７】表面に凹凸が形成された従来の中敷きの立体形状を説明する斜視図である。
【図８】インナーソール板の形状変換の処理手順を示すフローチャートである。
【図９】中敷き挿入空間の上面に沿って設けられる第１基準線の作成例を示す説明図である。
【図１０】第１基準線に基づいて第１展開線を作成する処理例を示す説明図である。
【図１１】中敷き挿入空間の上面に沿って設けられる第２基準線の作成例を示す説明図である。
【図１２Ａ】特定の第２基準線に着目した第２展開線を作成する処理例を示す説明図である。
【図１２Ｂ】すべての第２展開線が作成された状態を示す説明図である。
【図１３】第２基準線に基づいて第２展開線を作成する処理例を示す説明図である。
【図１４】インナーソール板の厚み寸法を決定する工程の処理手順を示す説明図である。
【図１５】それぞれの第２基準線についての厚み寸法が決定した状態を示す図である。
【発明を実施するための形態】
【００２０】
以下、図面を参照して本発明の実施形態にかかる中敷きを詳細に説明する。図１Ａは、本発明の実施形態にかかる中敷きの構成を示す外観斜視図である。図１Ｂは、図１Ａの中敷きの厚み形状を示すために長手方向各位置での断面形状を示す図である。図１Ｃは、図１Ａの中敷きの底面図である。図２は、図１Ａの中敷きのII-II線における断面図である。本実施形態にかかる中敷き１は、靴の内部に挿入して用いられるものであり、図１Ａに示すように、板状のインナーソール板２を備えている。
【００２１】
インナーソール板２は柔軟な素材で構成されており、従来、中敷きとして使用されていた材料を用いることができるが、後述するように、使用時に着用者の体重を受けて、靴の中で撓む程度の柔軟性を有するものであることが必要である。また、好ましくは厚み方向には、着用者の体重で裏面の凹凸がつぶれてしまうことがない程度の剛性を有するものであることが好ましい。例えば、エチレン酢酸ビニル共重合樹脂（ＥＶＡ）を発泡させた発泡性材料などを好適に使用することができ、必要とする柔軟性を実現できる程度に、コポリマーの配合比率や重合度、発泡時の発泡度などの諸条件を調整すればよい。
【００２２】
図１Ｂ及び図２に示すように、インナーソール板２の表面３は平坦な面で構成されており、裏面４は凹凸面で構成されている。図１Ｃに示すように、裏面４には溝状のスリット５が設けられている。スリット５の深さ寸法は、後述するインナーソール板２の湾曲変形を可能とする程度において、靴の形状、インナーソール板２の材質、厚みなどを考慮して適宜決定すればよい。
【００２３】
なお、図２に示すように、インナーソール板２の表面３には、装飾あるいは補強などのためにカバーシート６を貼り合わせてもよい。また、カバーシート６を貼着することで、インナーソール板２を湾曲した状態とした中敷きを作成することもできる。カバーシートは布シート、プラスチックシートなど目的に応じたものを使用することができる。例えば、スリット５からインナーソール板２が裂断することを防止するための補強シートと装着感向上のための布シートを貼り合わせて用いてもよい。
【００２４】
図３は、図１Ａの中敷きを靴内に挿入した使用状態を示す概略図である。裏面４の凹凸面の凹凸パターンは、本実施形態の中敷きを靴内に挿入し、着用者が靴を履いたとき、着用者の体重で中敷きのインナーソール板２が撓んで変形し、靴の内壁と足裏面とで画定される中敷き挿入空間を埋めることができるような凹凸に構成されている。なお、図３では理解のために、靴４０、中敷き１、足Ｆ間のそれぞれの境界を離間した状態に表しているが、実際の使用時においては、密着した状態となっている。
【００２５】
図３に示すように、本実施形態にかかる中敷き１は、使用時において、着用者の足Ｆの足裏面５０と靴４０の内底面４１と内側面４２との間に形成される中敷き挿入空間を埋めるものであり、表面３側に足裏面５０の凹凸にほぼ沿った凹凸が形成されるように構成されている。表面３側に生じる凹凸は、使用時に中敷き１が着用者の体重を受けて裏面４の凹凸面の凹凸が、靴の内底面４１及び内側面４２に沿うようにインナーソール板２が撓むことによって形成される。
【００２６】
また、中敷き１の周囲部分、特に幅方向両端部が靴４０の内側面４２に接触することよって、中敷き１が内側に押圧される。インナーソール板２は、靴４０の内側面からの力を受けて周囲部分が立ち上がるように屈曲し、足裏面の外縁部分に沿うように湾曲する。また、インナーソール板２のスリット５より外周位置に存在する部分は、溝状のスリット５が広がることでスリット５に沿って屈曲しやすくなっており、靴４０の内底面４１と内側面４２との曲面に沿って密着しやすくなっている。
【００２７】
本実施形態にかかる中敷きのインナーソール板２は、表面３側に足裏面５０の凹凸に沿った凹凸が形成されるように、裏面に凹凸が形成されている。凹凸パターンは次の手順により形状が決定され、決定されたパターンにしたがってインナーソール原板を切削してインナーソール板２を作成し、これを用いて中敷き１を作成する。
【００２８】
図４は、本実施形態にかかる中敷きの作成手順を示すフローチャートである。中敷きの作成手順の内、中敷き挿入空間及び切削加工データ作成の工程については、コンピュータを用いて演算処理させることができる。また、インナーソール原板の切削の工程は、上記演算処理された切削加工データを切削加工装置に読み込ませることより行なうことができる。
【００２９】
（中敷き挿入空間の形状決定）
本実施形態にかかる中敷き１の作成工程では、まず、中敷き挿入空間の形状を決定する（＃１）。中敷き挿入空間３０（図６参照）とは、靴の内壁と足裏面の間に生じる空間であり、足裏面及び靴の内壁面の三次元形状データに基づいて作成される。
【００３０】
図５は、一般的な人間の足裏の形状を示す図である。本実施形態において足裏面５０とは、裸足の状態で平面上に立ったとき当該平面と接触する接触部分５１（図５において一点鎖線で囲まれた部分）だけではなく、土踏まず５２、足指のアーチ部分５３，指先５４、かかと５５，足の外側側方５６などの接触部分５１に隣接する周辺部分を含む概念である。足裏面５０の三次元形状データは、従来の中敷きの作成において種々の足形計測装置で計測されており、本実施形態でもこれらの装置によって計測されたデータを使用することができる。
【００３１】
また、靴の内壁面の三次元形状データは、本実施形態が用いられる靴の内壁面の形状を示すデータであり、各種計測装置による計測あるいは靴の設計データなどを用いることができる。
【００３２】
足裏面５０と靴４０の内壁面の三次元形状データに基づいて、靴の内壁面及び足裏面５０の凹凸の間に生じる隙間について三次元形状を決定し、これを中敷き挿入空間の三次元形状データとする。中敷き挿入空間の三次元形状データの作成は、従来の中敷き作成装置などを用いて行うことができる。
【００３３】
なお、中敷き挿入空間は、靴の内壁面及び足裏面５０の凹凸の間に生じる隙間の形状そのものに限定されるものではない。例えば、矯正用中敷きなどの場合は特定部位の厚みを隙間以上に厚くする又は隙間より薄くするなど、中敷きの用途に応じて、靴の内壁面及び足裏面５０の凹凸の間に生じる隙間に適宜の修正を加えて中敷き挿入空間の形状を決定することができる。
【００３４】
また、中敷き挿入空間の形状データは、おおむね足裏面５０の凹凸を埋める凹凸パターンを有するものであるが、必ずしもすべての足裏面５０の凹凸を埋めるものでなくてもよい。例えば、図６に示す例では、足指のアーチ部分５３による凹凸を埋めないような形状の中敷き挿入空間３０としている。また、指先部分５４及びかかと部分５５などの足裏面５０の外縁領域は、どの高さの位置までを中敷き挿入空間とするかは適宜決定すればよい。
【００３５】
中敷き挿入空間の形状は、例えば、切削式により作成される従来の中敷きの形状に近似したものとしてもよい。従来の中敷きの形状とは、例えば、図７に示すような足裏面５０の凹凸によって生じる隙間を埋めるような凹凸が表面に設けられて、裏面及び側面は略平坦である形状があげられる。図７の例では、中敷き挿入空間の凹凸形状を理解しやすいように幅方向の断面形状３６及び長手方向の断面形状３７を表記している。中敷き挿入空間３０は、上側面３１が、土踏まずの部分３４に相当する位置に凸部と、足裏面の外周部分３５に相当する位置に立ち上がり部を備えた凹凸面に構成されている。また、下面３２や側面３３側は靴の内底面４１や内側面４２に沿うように平坦に構成されている。
【００３６】
（切削加工データ作成）
上記のようにして決定した中敷き挿入空間の三次元形状を変換し、インナーソール板の形状を特定する切削加工データを作成する（＃２）。
【００３７】
インナーソール板の切削加工データの作成工程は、図８に示すフローチャートにしたがって行なわれる。なお、前提として先の工程（＃１）で決定した中敷き挿入空間の三次元形状データに基づいて、上面と下面の形状及び位置関係がそれぞれ三次元データとして特定できているものとする。以下の工程において、三次元形状データは、足裏面５０と接する面を上面３１、靴４０の内面と接する面を下面３２とし、側面３３については下面に含まれるものとする。
【００３８】
最初に、横断面を計算する上での基準となる第１基準線１０を、三次元形状データの上面３１に沿って作成する（＃２１）。ここでいう第１基準線１０は、後の工程で幅方向断面を３次元空間上に並べるための基準となるものであるため、図９に示すように、長手方向に一方向に伸びる上面の凹凸に沿った線分であればよい。図９では、第１基準線１０は、中敷き挿入空間の中間部、具体的にはかかととつま先の中央部分を結ぶように作成されている。
【００３９】
次に、図１０に示すように、第１基準線１０を、第１基準線１０の長さを持った直線である第１展開線１１に変換する（＃２２）。上記のように第１基準線１０は、中敷き挿入空間の上面の凹凸に沿って伸びる線分であり、この凹凸に沿った部分を直線に展開して第１展開線１１を作成する。なお、第１展開線１１の作成の作業において、第１基準線１０上の各点１０ａ，１０ｂ，１０ｃ・・・１０ｎが第１展開線１１上のどの点１１ａ，１１ｂ，１１ｃ・・・１１ｎに展開されるかについての情報を格納した第１座標変換情報が作成される。
【００４０】
次に、図１１に示すように、第１展開線１１から第１展開線１１に垂直な方向に伸びる複数の第２基準線１２を作成する（＃２３）。第２基準線１２は、第１展開線から中敷き挿入空間３０の端部まで中敷き挿入空間の上面の凹凸に沿って伸びる線分である。
【００４１】
第２基準線１２は、第１展開線１１の一端から所定のピッチとなるように第１展開線１１全長にわたって設けられる。隣り合う第２基準線１２間のピッチは細かい方が形状変換の精度は向上するが、データ処理量が多くなるため、０．５〜１０ｍｍ程度、さらには、２ｍｍ以下とすることが好ましい。
【００４２】
本実施形態では、第１座標変換情報に基づいて決定される第１展開線１１の各点１１ａ，１１ｂ，１１ｃ・・・１１ｎに対応する第１基準線１０上の点１０ａ，１０ｂ，１０ｃ・・・１０ｎから幅方向両側にそれぞれ伸びる第２基準線１２が作成される。
【００４３】
次に、図１２Ａ，及び図１２Ｂに示すように、第２基準線１２を、それぞれ第２基準線１２の長さを持った直線である第２展開線１３に変換し、第１展開線１１に沿って配置する（＃２３）。上記のように第２基準線１２は、中敷き挿入空間３０の上面の凹凸に沿って伸びる線分であり、この凹凸に沿った部分を直線に展開して第２展開線１３を作成する。
【００４４】
第２展開線１３の作成は、第１基準線の１つの点から両側にそれぞれ伸びる２つの第２基準線を統合して行なわれる。図１２Ａに示すように、図１１に示すある任意の第２基準線１２１，１２２は、１つの第２展開線１３１に展開される。なお、第２展開線１３の作成の作業において、第２基準線１２１上の点１２１ａ，１２１ｂ，１２１ｃが第２展開線１３１上のどの点１３１ａ，１３１ｂ，１３１ｃ・・・１３１ｎに展開されるかについての情報を格納した第２座標変換情報が作成される。
【００４５】
なお、図１２Ｂに示すように、第１展開線１１及びすべての第２展開線１３は、同一平面である基準平面１４上に配置される。基準平面１４は、中敷きのインナーソール板の表面に対応する仮想平面であり、当該座標上の高さ位置を基準として後述の厚み寸法を決定する。
【００４６】
次いで、第１及び第２展開線１１，１３のそれぞれの集合により形成される面の形状をインナーソール板の外形情報とする。外形情報は、具体的には図１３に示すように、第１及び第２展開線の端点を結び、各第１及び第２展開線の端点間を基準平面１４上で補間することによって形成された枠線１５の形状となる。
【００４７】
次に、インナーソール板２の任意の各点における厚み寸法の情報である厚み情報を作成する（＃２６）。厚み情報は、それぞれの第２基準線１２の位置における中敷き挿入空間３０の幅方向断面形状に基づいて算出される。具体的には、図１４の（Ａ）に示すように、ある一つの第２基準線１２上において、当該第２基準線１２上の任意の点１２ａ，１２ｂ・・・１２ｎにおける中敷き挿入空間３０の厚み寸法Ｈをそれぞれ求め、当該寸法Ｈを図１４の（Ｂ）に示すように、該第２基準線１２上の任意の点に対応するインナーソール板２の表面３上での対応点１３ａ，１３ｂ・・・１３ｎにおける厚み寸法Ｄとすることで作成される。具体的には次の処理手順を行なう。
【００４８】
図１４の（Ａ）に示すように、ある１の第２基準線１２上に等間隔で点１２ａ，１２ｂ・・・１２ｎを配置する。これらの点は、上記第２座標変換情報でのサンプリング点としてもよい。それぞれの各点１２ａ，１２ｂ・・・１２ｎにおける法線について、当該第２基準線１２を含む断面での中敷き挿入空間の下面３２までの距離Ｈ１，Ｈ２，・・・Ｈｎを測定する。そして、下面３２までの距離Ｈ１，Ｈ２，・・・Ｈｎを、インナーソール板の表面上の対応点１３ａ，１３ｂ・・・１３ｎにおける厚み寸法Ｄ１，Ｄ２・・・Ｄｎとする。
【００４９】
第２基準線１２上の各点１２ａ，１２ｂ・・・１２ｎとインナーソール板２の表面上の各点１３ａ，１３ｂ・・・１３ｎの対応付けは、第１座標変換情報および第２座標変換情報に基づいて行なう。第２基準線１２上の各点１２ａ，１２ｂ・・・１２ｎを第２座標変換情報のサンプリング点と一致させておけば、これらの対応付けの処理を軽減することができる。
【００５０】
その後、隣り合う２つの対応点１３ａ，１３ｂ・・・１３ｎ間の各位置における厚み寸法を、対応点間の厚み寸法の情報を用いてポリライン化などの補間処理により算出し、当該１の第２基準線１２全域におけるインナーソール板２の厚み情報を算出する。
【００５１】
上記処理をすべての第２基準線１２について行ない、図１５に示すように、すべての第２基準線１２におけるインナーソール板２の厚み情報を決定する。その後、隣り合う厚み情報のポリラインを補間してサーフェス、もしくはポリゴンを作成することにより、インナーソール板２の裏面４の全領域について、インナーソール板の裏面４に形成される凹凸のパターンが決定する。
【００５２】
以上の工程によりインナーソール板の平坦面の外縁形状及び裏面の凹凸のパターンの情報を有する切削加工データの作成が終了する。
【００５３】
（インナーソール原板の切削）
以上の工程で決定したインナーソール板２の外形形状及び裏面の凹凸のパターンの情報を含む切削加工データに基づいて、インナーソール原板を切削する（＃３）。インナーソール原板は、インナーソール板２を形成するための原料ブロックである。インナーソール原板は、通常は厚み方向に扁平な板状体で構成されており、少なくとも一面が平坦面になっている。両面が平坦面となっていない場合は、上記切削加工データに基づく凹凸パターンの切削の前に、インナーソール原板の少なくとも一面を平坦に加工しておくことが好ましい。
【００５４】
本実施形態にかかる中敷きのインナーソール板は、その表面が平坦であり、また、足裏面５０の凹凸により生じる隙間を埋めるための構成が裏面４側の凹凸パターンで構成されているため、インナーソール原板の裏面側の面だけを切削することで作成することができる。したがって、一面が平坦に構成されたインナーソール原板を切削加工機にセットして裏面のみを機械加工することでインナーソール板を形成できるため、手作業による両面加工を必要とすることなく製作の手間を省力化することができる。
【００５５】
以上の工程でインナーソール板２の成形加工は終了する。このように成形加工されたインナーソール板２をそのまま中敷きとして使用することもできる。
【００５６】
インナーソール原板の切削が終了すると、インナーソール板の裏面４にスリット５を設ける。スリット５は、加工済みのインナーソール板の裏面４に、使用する靴４０の内底壁４１の内側に当接する部分に内底壁４１の形状に合うように切り込みを入れることにより形成される。スリット５を付したインナーソール板２をそのまま中敷きとして使用することもできる。その後、必要に応じた加工を施して、本実施形態にかかる中敷き１を作成することもできる。
【００５７】
インナーソール板の成形加工のあとに行なわれる加工としては、インナーソール板の表面にカバーシートを貼着するインナーソール板に部分的に湾曲を付す加工などがあげられる。
【００５８】
インナーソール板の表面に貼着されるカバーシートは、インナーソール板２の補強及び履き心地の向上を目的とする加工である。上記の通り、特にスリット５の部分から裂断しやすくなっているインナーソール板２を補強し、足裏面との触感を向上させるために、プラスチックシートや布シートなどを貼着することができる。
【００５９】
インナーソール板の表面３にシートを貼着することで、インナーソール板２を部分的に湾曲させ、足裏面５０に沿った形状とすることもできる。また、インナーソール板２をプレス加工あるいは熱プレス加工などにより変形させて湾曲加工してもよい。
【００６０】
本実施形態にかかる中敷きは、足の凹凸により生じる隙間を埋めるためのインナーソール板の立体構造をすべてインナーソール板の裏面側に展開して構成されているため、インナーソール原板からの加工処理を、裏側片面側のみ行うことにより作成することができる。したがって、切削処理に自動加工装置を用いて簡単に作成することができ、作成の手間を省力化することができる。また、片面のみの切削でよいため、インナーソール板の材料として柔軟なものを使用することができ、手作業による加工が必要なく人為的な要因による品質のばらつきの問題がない。
【００６１】
さらに、インナーソール板の裏面側に形成される凹凸パターンは、足裏面と靴の内面との間に生じる中敷き挿入空間の三次元形状を、インナーソール板の表面が平坦になるように変換して裏面側にすべて設けるように変換しているため、使用時における足裏面の支持をしっかりと行なうことができる。
【産業上の利用可能性】
【００６２】
本発明にかかる中敷き及び中敷きの作成方法は、靴の履き心地や歩行安定性をよくするとともに、姿勢や足の歪みの矯正、足腰の筋肉の引き締めや、動作機敏性の向上、履物の靴底の摩耗減少などを実現するために用いられる。
【符号の説明】
【００６３】
１  中敷き
２  インナーソール板
３  表面
４  裏面
５  スリット
１０  第１基準線
１１  第１展開線
１２  第２基準線
１３  第２展開線
１４  基準面
３０  中敷き挿入空間
３１  上面
３２  下面
４０  靴
４１  内底面
４２  内側面
５０  足裏面
【図１Ａ】
2010134187.tif 000003
【図１Ｂ】
2010134187.tif 000004
【図１Ｃ】
2010134187.tif 000005
【図２】
2010134187.tif 000006
【図３】
2010134187.tif 000007
【図４】
2010134187.tif 000008
【図５】
2010134187.tif 000009
【図６】
2010134187.tif 000010
【図７】
2010134187.tif 000011
【図８】
2010134187.tif 000012
【図９】
2010134187.tif 000013
【図１０】
2010134187.tif 000014
【図１１】
2010134187.tif 000015
【図１２Ａ】
2010134187.tif 000016
【図１２Ｂ】
2010134187.tif 000017
【図１３】
2010134187.tif 000018
【図１４】
2010134187.tif 000019
【図１５】
2010134187.tif 000020
【国際調査報告】
2010134187.tif 000021
2010134187.tif 000022